(57)【特許請求の範囲】
【請求項１】
居室空間と、衣類を乾燥するための乾燥室とを備えた建物に適用され、
空調空気を生成する空調装置を備え、その生成した空調空気により空調対象となる前記居室空間の空調を行う建物の空調システムであって、
前記乾燥室に設けられ、前記空調装置から供給される空調空気を吹き出す吹出口と、
前記吹出口より吹き出された空調空気を前記乾燥室から前記居室空間へ導く通気路と、
前記吹出口から吹き出す空調空気の向きを調整する調整手段と、
前記居室空間の湿度を検知する湿度検知手段と、
前記湿度検知手段により検知された前記居室空間の湿度に基づいて、前記吹出口から吹き出す空調空気の向きを調整するよう前記調整手段を制御する制御手段と、
を備えることを特徴とする建物の空調システム。
【請求項２】
居室空間と、衣類を乾燥するための乾燥室とを備えた建物に適用され、
空調空気を生成する空調装置を備え、その生成した空調空気により空調対象となる前記居室空間の空調を行う建物の空調システムであって、
前記乾燥室に設けられ、前記空調装置から供給される空調空気を吹き出す吹出口と、
前記吹出口より吹き出された空調空気を前記乾燥室から前記居室空間へ導く通気路と、を備え、
前記吹出口は前記乾燥室の天井側又は床側に設けられ、
前記乾燥室を区画する壁部には、その天井側と床側とにそれぞれ前記通気路を構成する通気口が設けられ、
前記各通気口にはそれぞれ通気口を開閉する開閉手段が設けられ、
前記居室空間の湿度を検知する湿度検知手段と、
前記湿度検知手段により検知された前記居室空間の湿度に基づいて、前記各通気口のうちいずれかを開放させるよう前記各開閉手段を制御する開閉制御手段と、
を備えることを特徴とする建物の空調システム。
【請求項３】
前記建物には、前記吹出口より前記乾燥室に吹き出された空調空気が前記空調装置へ還流する還流経路が設けられ、
前記空調装置は、前記還流した空気を取り込み空調空気を生成するものであり、
前記還流経路は、前記通気路と前記居室空間とを経由する経路であることを特徴とする請求項１又は２に記載の建物の空調システム。
【請求項４】
前記乾燥室には、衣類を支持するための衣類支持部が設けられ、
前記吹出口は、前記衣類支持部に支持された衣類に向けて空調空気を吹き出す位置に配置されていることを特徴とする請求項１乃至３のいずれか一項に記載の建物の空調システム。
【発明の詳細な説明】
【技術分野】
【０００１】
本発明は、建物の空調システムに関する。
【背景技術】
【０００２】
住宅等の建物には、洗濯後の衣類を乾燥するための乾燥室が設けられている場合がある。特許文献１には、乾燥室における衣類の乾燥を空調システムを利用して行う技術が開示されている。この特許文献１の技術では、空調装置が乾燥室から空気を取り込んで空調空気を生成する構成となっており、その空気の取り込みに伴い乾燥室が負圧となることを利用して、乾燥室に隣室から乾燥した空気を取り込むものとなっている。そして、その取り込んだ乾燥空気を利用して衣類の乾燥を行うものとなっている。この技術によれば、乾燥室に乾燥機等の機器を設置することなく衣類の乾燥を行うことが可能となる。
【先行技術文献】
【特許文献】
【０００３】
【特許文献１】特開２０１２−１２０５５４号公報
【発明の概要】
【発明が解決しようとする課題】
【０００４】
ところで、上記特許文献１の構成では、乾燥室において衣類の乾燥に用いられた空気が衣類の水分を吸って湿気を帯びることが考えられる。そこで本発明者は、この点に着目し、その湿気を帯びた空気を居室に取り込んで居室の加湿に利用できないかと考えた。
【０００５】
しかしながら、上記特許文献１の構成では、乾燥室において衣類の乾燥に用いられた空気が空調装置に取り込まれ、同装置において温度調整される等して空調空気が生成されるようになっているため、その空調空気の生成に際し空気中の湿気が取り除かれてしまうことが考えられる。したがって、上記特許文献１の構成では、衣類の乾燥に用いられて湿気を帯びた空気を居室の加湿に利用することが難しいと考えられる。
【０００６】
本発明は、上記事情に鑑みてなされたものであり、居室空間の空調を行う建物の空調システムにおいて、その空調システムを利用して衣類の乾燥を行うとともに衣類乾燥に用いた空気を利用して居室空間の加湿を行うことを主たる目的とするものである。
【課題を解決するための手段】
【０００７】
上記課題を解決すべく、第１の発明の建物の空調システムは、居室空間と、衣類を乾燥するための乾燥室とを備えた建物に適用され、空調空気を生成する空調装置を備え、その生成した空調空気により空調対象となる前記居室空間の空調を行う建物の空調システムであって、前記乾燥室に設けられ、前記空調装置から供給される空調空気を吹き出す吹出口と、前記吹出口より吹き出された空調空気を前記乾燥室から前記居室空間へ導く通気路と、を備えることを特徴とする。
【０００８】
本発明によれば、空調装置から供給される空調空気が吹出口より乾燥室に吹き出されるため、その空調空気を利用して衣類を乾燥させることができる。また、乾燥室に吹き出された空調空気は通気路を介して居室空間に導かれるため、その空調空気により居室空間の空調（冷房又は暖房）を行うことができる。ここで、乾燥室より居室空間に導かれる空調空気は衣類の乾燥に用いられた空気であるため、その空気は衣類の水分を吸って湿気を帯びた空気となっている。そのため、この場合、その湿気を帯びた空気により居室空間の加湿を行うこともできる。よって、以上より、空調システムを利用して衣類の乾燥を行うことができるとともに、その衣類乾燥に用いた空気を利用して居室空間の加湿を行うことができる。
【０００９】
第２の発明の建物の空調システムは、第１の発明において、前記建物には、前記吹出口より前記乾燥室に吹き出された空調空気が前記空調装置へ還流する還流経路が設けられ、前記空調装置は、前記還流した空気を取り込み空調空気を生成するものであり、前記還流経路は、前記通気路と前記居室空間とを経由する経路であることを特徴とする。
【００１０】
本発明では、吹出口から乾燥室に吹き出された空調空気が還流経路を通じて空調装置へ還流する循環式の空調システムが採用されている。こうした循環式の空調システムでは、建物内を同じ空気が循環するため建物内が乾燥し易い。この点本発明では、かかる循環式の空調システムに上記第１の発明を適用しているため、還流経路上にある居室空間が乾燥するのを好適に抑制することができる。
【００１１】
第３の発明の建物の空調システムは、第１又は第２の発明において、前記乾燥室には、衣類を支持するための衣類支持部が設けられ、前記吹出口は、前記衣類支持部に支持された衣類に向けて空調空気を吹き出す位置に配置されていることを特徴とする。
【００１２】
本発明によれば、吹出口から吹き出される空調空気が衣類に当たるため、衣類の乾燥を促進させることができる。また、空調空気が衣類に当たることで湿気を帯びた空調空気を好適に生成することができる。そのため、その空気による居室空間の加湿を好適に行うことができる。
【００１３】
第４の発明の建物の空調システムは、第１乃至第３のいずれかの発明において、前記吹出口から吹き出す空調空気の向きを調整する調整手段を備えることを特徴とする。
【００１４】
本発明によれば、吹出口から吹き出す空調空気の向き（吹出向き）が調整可能とされているため、空調空気を衣類に向けて吹き出したり衣類とは異なる場所に吹き出したりすることが可能となる。これにより、空調空気が衣類から吸収する湿気（水分）の量を調整することが可能となり、ひいてはその空調空気により居室空間を加湿する際の加湿量の調整を行うことが可能となる。
【００１５】
第５の発明の建物の空調システムは、第４の発明において、前記居室空間の湿度を検知する湿度検知手段と、前記湿度検知手段により検知された前記居室空間の湿度に基づいて、前記吹出口から吹き出す空調空気の向きを調整するよう前記調整手段を制御する制御手段と、を備えることを特徴とする。
【００１６】
本発明によれば、居室空間の湿度に基づいて、吹出口から吹き出す空調空気の向きが調整される。したがって、例えば居室空間の湿度が低い場合には、空調空気を衣類に向けて吹き出すことにより空調空気が衣類から吸収する湿気の量を多くすることができる。また、居室空間の湿度が高い場合には、空調空気を衣類とは異なる場所に向けて吹き出すことにより空調空気が衣類から吸収する湿気の量を少なくすることができる。よって、この場合、居室空間の湿度に応じて、空調空気が吸収する湿気の量を調整することができ、ひいては居室空間に対する加湿量を調整することが可能となる。
【００１７】
第６の発明の建物の空調システムは、第１乃至第５のいずれかの発明において、前記乾燥室を区画する壁部には、前記通気路を構成する通気口が設けられ、前記吹出口は前記乾燥室の天井側及び床側のうちいずれか一方側に設けられ、前記通気口は他方側に設けられていることを特徴とする。
【００１８】
本発明によれば、吹出口が乾燥室の天井側及び床側のいずれか一方側に設けられ、通気口が他方側に設けられているため、吹出口から吹き出された空調空気が乾燥室を上下に横断するように通気口へと流れる。この場合、空調空気が衣類周辺を上下に通過するように流れるため、空調空気が衣類から吸収する湿気の量を多くすることができる。そのため、居室空間の加湿を好適に行うことができる。
【００１９】
第７の発明の建物の空調システムは、第１乃至第６のいずれかの発明において、前記吹出口は前記乾燥室の天井側又は床側に設けられ、前記乾燥室を区画する壁部には、その天井側と床側とにそれぞれ前記通気路を構成する通気口が設けられ、前記各通気口にはそれぞれ通気口を開閉する開閉手段が設けられていることを特徴とする。
【００２０】
本発明によれば、吹出口が乾燥室の天井側又は床側に設けられ、乾燥室の壁部には天井側及び床側にそれぞれ通気口が設けられている。この場合、各通気口のうち一方の通気口（以下、第１通気口という）が吹出口とは反対側に設けられ、他方の通気口（以下、第２通気口という）が吹出口と同じ側に設けられている。これら第１通気口及び第２通気口はそれぞれ開閉手段により開閉可能とされている。この場合、第１通気口が開放されかつ第２通気口が閉鎖された状態では、吹出口から乾燥室に吹き出された空調空気が第１通気口を通じて居室空間へ導かれる。ここで、第１通気口は、上下方向において吹出口とは反対側に設けられているため、吹出口から吹き出された空調空気は乾燥室を上下に横断するように第１通気口へと流れ、その後同通気口を通じて居室空間に導かれることになる。つまり、この場合、空調空気が衣類周辺を上下に通過するように流れることになるため、空調空気が衣類から吸収する湿気の量を比較的多くすることができる。
【００２１】
一方、第１通気口が閉鎖されかつ第２通気口が開放された状態では、吹出口から乾燥室に吹き出された空調空気が第２通気口を通じて居室空間へ導かれる。ここで、第２通気口は、上下方向において吹出口と同じ側に設けられているため、吹出口から吹き出された空調空気は近くの第２通気口に向けてショートカットするように流れ、その後同通気口を通じて居室空間に導かれることになる。つまり、この場合、空調空気が衣類の一部（上部又は下部）のみを通過するように流れることになるため、空調空気が衣類から吸収する湿気の量を比較的少なくすることができる。よって、この場合、空調空気が衣類から吸収する湿気の量を調整することが可能となり、その結果その空調空気により居室空間を加湿する際の加湿量を調整することが可能となる。
【００２２】
第８の発明の建物の空調システムは、第７の発明において、前記居室空間の湿度を検知する湿度検知手段と、前記湿度検知手段により検知された前記居室空間の湿度に基づいて、前記各通気口のうちいずれかを開放させるよう前記各開閉手段を制御する開閉制御手段と、を備えることを特徴とする。
【００２３】
本発明によれば、居室空間の湿度に基づいて、天井側及び床側の各通気口のうちいずれかが開放される。したがって、例えば居室空間の湿度が低い場合には、各通気口のうち吹出口とは反対側にある通気口（以下、第１通気口という）を開放させることで、乾燥室に吹き出された空調空気を第１通気口を通じて居室空間に導くことができる。この場合、乾燥室に吹き出された空調空気は衣類を上下に通過して第１通気口へと流れるため、空調空気が衣類から吸収する湿気の量を比較的多くすることができる。一方、居室空間の湿度が高い場合には、吹出口と同じ側にある通気口（以下、第２通気口という）を開放させることで、乾燥室に吹き出された空調空気を第２通気口を通じて居室空間に導くことができる。この場合、乾燥室に吹き出された空調空気が衣類の一部（上部又は下部）のみを通過するように第２通気口へとショートカットして流れるため、空調空気が衣類から吸収する湿気の量を比較的少なくすることができる。これにより、居室空間の湿度に応じて空調空気が衣類から吸収する湿気の量を調整することができ、ひいては居室空間を加湿する際の加湿量を調整することができる。
【図面の簡単な説明】
【００２４】
【図１】第１の実施形態における空調システムが設けられた建物の構成を示す概略縦断面図。
【図２】吹出チャンバ周辺の構成を拡大して示す縦断面図であり、（ａ）が空調空気が第１向きで吹き出している状態を示し、（ｂ）が空調空気が第２向きで吹き出している状態を示している。
【図３】第２の実施形態における空調システムが設けられた建物の構成を第１通気状態にて示す概略縦断面図。
【図４】空調システムが設けられた建物の構成を第２通気状態にて示す概略縦断面図。
【図５】他の実施形態における空調システムが設けられた建物の構成を示す概略縦断面図。
【図６】他の実施形態における空調システムが設けられた建物の構成を示す概略縦断面図。
【発明を実施するための形態】
【００２５】
〔第１の実施形態〕
以下に、本発明を具体化した一実施の形態について図面を参照しつつ説明する。なお、図１は空調システムが設けられた建物の構成を示す概略縦断面図である。
【００２６】
図１に示すように、住宅等の建物１０には、屋内空間として、居室１１と、衣類を乾燥するための乾燥室１２と、空調装置４１の設置された機械室１３とが設けられている。居室１１は乾燥室１２と隣接しており、間仕切壁１５により乾燥室１２と仕切られている。間仕切壁１５には、居室１１と乾燥室１２との間を出入りするための出入口１６が設けられている。出入口１６には、開き戸からなるドア１７が設けられている。ドア１７は、下端部がアンダーカットされており、そのドア１７の下端と床面１８との間には居室１１と乾燥室１２とを連通する通気部１９が設けられている。
【００２７】
乾燥室１２には、衣類Ｋ（詳しくは、衣類が掛けられたハンガー）を吊り下げるための吊下げ棒２１が設けられている。乾燥室１２にて衣類Ｋの乾燥を行う際には、この吊下げ棒２１に衣類Ｋを吊り下げた状態で乾燥を行う。吊下げ棒２１は、上下に複数（具体的には２つ）設けられ、乾燥室１２を挟んで対向する壁部の間に架け渡されている。詳しくは、吊下げ棒２１は、間仕切壁１５とその間仕切壁１５に対向する外壁部２２との間に架け渡されている。なお、吊下げ棒２１が衣類支持部に相当する。
【００２８】
ちなみに、乾燥室１２では、後述するように、空調システムを利用して衣類Ｋの乾燥が行われるものとなっている。そのため、乾燥室１２には乾燥機等の乾燥用機器が何も設置されていない。
【００２９】
機械室１３は居室１１と隣接しており、間仕切壁２５により居室１１と仕切られている。間仕切壁２５には、居室１１と機械室１３との間を出入りするための出入口２６が設けられている。出入口２６には、開き戸からなるドア２７が設けられている。ドア２７は、下端部がアンダーカットされており、そのドア２７の下端と床面１８との間には居室１１と機械室１３とを連通する通気部２９が設けられている。
【００３０】
居室１１の天井部には、天井面材として、下側天井面材３１と上側天井面材３２とが設けられている。下側天井面材３１と上側天井面材３２とはいずれも石膏ボードを有して形成されている。下側天井面材３１は、上側天井面材３２よりも低い位置に配置され、その下側天井面材３１の下面により居室１１の天井面が形成されている。また、下側天井面材３１と上側天井面材３２との間には天井裏空間３３が形成されている。
【００３１】
乾燥室１２及び機械室１３の天井部には、天井面材として、上側天井面材３２が設けられている一方、下側天井面材３１が設けられていない。そのため、乾燥室１２及び機械室１３では上側天井面材３２の下面により天井面が形成されている。上側天井面材３２の上方には陸屋根からなる屋根部３５が設けられている。この屋根部３５と上側天井面材３２との間には屋根裏空間３６が形成されている。
【００３２】
建物１０には、屋内空間の空調を行う空調システム４０が設けられている。空調システム４０は、共通の空調装置４１を用いて複数の屋内空間の空調を行う全館空調システムとして構築されている。以下、かかる空調システムの構成について説明する。
【００３３】
空調システム４０は、空調空気（暖気及び冷気）を生成する空調装置４１と、空調装置４１に接続された空調ダクト４２と、空調ダクト４２に接続された吹出チャンバ４３とを備える。空調装置４１は、機械室１３に設置された室内機として構成されている。空調装置４１は、機械室１３の空気を取り込み、その取り込んだ空気を温度調整することで空調空気を生成する。
【００３４】
空調ダクト４２は、機械室１３において空調装置４１から上方へ延びており、その上端部において居室１１上方の天井裏空間３３に入り込んでいる。空調ダクト４２は、天井裏空間３３を通じて乾燥室１２に向けて延びており、その先端部には吹出チャンバ４３が接続されている。
【００３５】
吹出チャンバ４３は、乾燥室１２に面して設けられ、その乾燥室１２に開口する吹出口４４を有している。空調装置４１により生成された空調空気は空調ダクト４２を介して吹出チャンバ４３へ供給され、その供給された空調空気が吹出口４４より乾燥室１２へ吹き出されるようになっている。そして、本実施形態では、この乾燥室１２に吹き出される空調空気を利用して、乾燥室１２において衣類Ｋの乾燥を行うこととしている。本実施形態では、この点に特徴を有しており、以下においてはかかる特徴的構成について図１に加え図２を用いながら説明する。なお、図２は吹出チャンバ４３周辺の構成を拡大して示す縦断面図であり、図１のＡ−Ａ線断面図に相当する。また、図２において（ａ）が空調空気が第１向きで吹き出している状態を示し、（ｂ）が空調空気が第２向きで吹き出している状態を示している。
【００３６】
図１及び図２に示すように、吹出チャンバ４３は、乾燥室１２に面して設けられた間仕切壁４５に取り付けられている。間仕切壁４５は、互いに対向する間仕切壁１５及び外壁部２２を繋ぐように設けられ、その幅方向が吊下げ棒２１の長手方向と同方向となっている。間仕切壁４５の天井付近には開口部４６が形成されている。その開口部４６には吹出チャンバ４３が配設されている。この場合、吹出チャンバ４３は、その吹出口４４が乾燥室１２の天井付近に設定され、詳しくはその吹出口４４が各吊下げ棒２１よりも高い位置に設定されている。また、吹出チャンバ４３（吹出口４４）は、間仕切壁４５において幅方向の中央部に配置され、換言すると吊下げ棒２１の長手方向において当該吊下げ棒２１の略中央に位置するよう配置されている。
【００３７】
吹出チャンバ４３は、空調ダクト４２の側面部に接続されている。空調ダクト４２の側面部には開口部４２ａが形成され、その開口部４２ａを介して空調ダクト４２の内部と吹出チャンバ４３の内部とが互いに連通されている。これにより、空調ダクト４２を流れる空調空気が開口部４２ａを通じて吹出チャンバ４３に供給されるようになっている。
【００３８】
吹出チャンバ４３に供給される空調空気は上述したように吹出口４４から乾燥室１２に吹き出される。この場合、その空調空気を利用して、吊下げ棒２１に支持された衣類Ｋを乾燥させることができる。また、乾燥室１２に吹き出された空調空気は、乾燥室１２からドア１７下の通気部１９を通じて居室１１に流れ込む。これにより、その流れ込んだ空調空気により居室１１の空調（冷房又は暖房）が行われる。
【００３９】
なお、居室１１が空調対象となる「居室空間」に相当し、通気部１９が「通気口」及び「通気路」に相当する。また、通気部１９は間仕切壁１５（乾燥室１２を区画する「壁部」に相当）に形成された出入口１６の一部により構成され、間仕切壁１５の幅方向において吊下げ棒２１よりも反吹出口４４側に配置されている。
【００４０】
居室１１に流れ込んだ空調空気は、その後、居室１１から機械室１３にドア２７下の通気部２９を通じて流れ込む（還流する）。そして、空調装置４１は、その機械室１３に流れ込んだ空気を取り込み空調空気を生成する。このように、本空調システム４０は、空調装置４１により生成された空調空気が乾燥室１２に吹き出された後、その空調空気が通気部１９→居室１１→通気部２９→機械室１３を経由して再び空調装置４１へと還流する循環式の空調システムとなっている。なお、この場合、各通気部１９，２９と居室１１と機械室１３とを含んで還流経路が構成されている。
【００４１】
ところで、本空調システム４０では、乾燥室１２から居室１１に流れ込む空調空気が乾燥室１２において衣類Ｋの乾燥に用いられた空気であるため、その空気は衣類Ｋの水分を吸って湿気を帯びた空気になっている。このため、本空調システム４０では、居室１１に流れ込む空調空気により、居室１１の冷暖房だけでなく居室１１の加湿を行うことが可能となっている。この点が、本空調システム４０のもう１つの特徴となっており、以下においてはかかる本空調システム４０の加湿に関する構成について説明する。
【００４２】
吹出チャンバ４３の内部には、横長板状のスラット４８が上下に複数並設されている。これらのスラット４８はいずれも吹出チャンバ４３に回動可能に軸支され、その回動によりスラット角度の調整が可能とされている。この場合、各スラット４８のスラット角度が調整されることで、吹出口４４から吹き出される空調空気の向きが調整されるようになっている。
【００４３】
上記の各スラット４８はスラット駆動部４９により回動駆動される。スラット駆動部４９は電動モータ等を有して構成されている。この場合、スラット駆動部４９の回動駆動により各スラット４８のスラット角度が調整され、ひいては吹出口４４から吹き出される空調空気の向きが調整されるようになっている。なお、この場合、各スラット４８とスラット駆動部４９とを含んで調整手段が構成されている。
【００４４】
具体的には、各スラット４８はスラット角度が調整されることにより、各スラット４８が下方傾斜する向きとなる第１状態（図２（ａ）参照）と、各スラット４８が水平の向きとなる第２状態（図２（ｂ）参照）とに少なくとも移行することが可能となっている。各スラット４８が第１状態にある場合には、吹出口４４から空調空気が衣類Ｋに向けて吹き出される。以下においては、この場合の空調空気の吹出向きを「第１向き」ともいう。一方、各スラット４８が第２状態にある場合には、吹出口４４から空調空気が衣類Ｋよりも上方に向けて吹き出され、ひいては衣類Ｋとは異なる場所に向けて吹き出される。以下においては、この場合の空調空気の吹出向きを「第２向き」ともいう。
【００４５】
図２（ａ）に示すように、各スラット４８が第１状態にある場合には、空調空気が衣類Ｋに向けて吹き出される（すなわち、第１向きに吹き出される）ため、その吹き出された空調空気は衣類Ｋに当たることになる。そのため、その空調空気は衣類Ｋの水分を比較的多く吸って多くの湿気を帯びることとなる。したがって、この場合には、乾燥室１２から居室１１に流れ込む空調空気に比較的多くの湿気が含まれることになり、その結果居室１１に対する加湿量を比較的大きくすることが可能となる。
【００４６】
一方、図２（ｂ）に示すように、各スラット４８が第２状態にある場合には、空調空気が衣類Ｋとは異なる場所に向けて吹き出される（すなわち、第２向きに吹き出される）ため、その吹き出された空調空気は衣類Ｋから比較的離れたところ（詳しくは衣類Ｋの上方）を流れることになる。そのため、その空調空気が衣類Ｋから吸収する湿気の量は比較的少なくなる。したがって、この場合には、乾燥室１２から居室１１に流れ込む空調空気に含まれる湿気の量が少なくなり、その結果居室１１に対する加湿量を比較的小さくすることが可能となる。
【００４７】
このように、本空調システム４０では、各スラット４８を第１状態と第２状態とに切り替えることにより、つまり吹出口４４から吹き出す空調空気の向きを第１向きと第２向きとに切り替える（調整する）ことにより、居室１１に対する加湿量を調整することが可能となっている。
【００４８】
続いて、本空調システム４０の電気的構成について説明する。なお、図２（ａ）に本空調システム４０の電気的構成を示す。
【００４９】
図２（ａ）に示すように、空調システム４０は、制御手段としてのコントローラ５０を備える。コントローラ５０は、ＣＰＵ等を有する周知のマイクロコンピュータを主体に構成されており、例えば居室１１の壁面に設けられている。
【００５０】
コントローラ５０には、湿度検知手段としての湿度センサ５１が接続されている。湿度センサ５１は、居室１１の湿度を検知するセンサであり、例えば居室１１の壁面に設けられている。コントローラ５０には、湿度センサ５１から逐次検知結果が入力される。
【００５１】
また、コントローラ５０には、スラット駆動部４９が接続されている。コントローラ５０は、湿度センサ５１からの検知結果に基づいて、スラット駆動部４９を駆動制御する。
【００５２】
ここで、コントローラ５０により実行される加湿量調整処理について説明する。なお、本処理は、空調システム４０（空調装置４１）の運転時において、所定の周期で繰り返し実行される。
【００５３】
コントローラ５０は、湿度センサ５１により検知された居室１１の湿度に基づいて、居室１１の湿度が所定の閾値よりも高いか否かを判定する。コントローラ５０は、居室１１の湿度が所定の閾値以下であると判定した場合には、スラット駆動部４９に第１駆動信号を出力し、同駆動部４９により各スラット４８を第１状態（図２（ａ）参照）とする。これにより、居室１１の湿度が比較的低い場合には、吹出口４４から吹き出す空調空気の向きが第１向きとされるため、居室１１に対する加湿量が大きくされる。
【００５４】
一方、コントローラ５０は、居室１１の湿度が所定の閾値よりも高いと判定した場合には、スラット駆動部４９に第２駆動信号を出力し、同駆動部４９により各スラット４８を第２状態（図２（ｂ）参照）とする。これにより、居室１１の湿度が比較的高い場合には、吹出口４４から吹き出す空調空気の向きが第２向きとされるため、居室１１に対する加湿量が小さくされる。
【００５５】
以上、詳述した本実施形態の構成によれば、以下の優れた効果が得られる。
【００５６】
乾燥室１２に吹出チャンバ４３の吹出口４４を設定し、その吹出口４４より空調空気を乾燥室１２に吹き出すようにしたため、その空調空気を利用して衣類Ｋを乾燥させることができる。また、衣類Ｋの乾燥に用いられて湿気を帯びた空調空気を通気部１９を通じて居室１１に導くようにしたため、その空調空気により居室１１の加湿を行うことができる。よって、この場合、空調システム４０を利用して衣類Ｋの乾燥を行うことができるとともに、その衣類乾燥に用いた空気を利用して居室１１の加湿を行うことができる。
【００５７】
吹出口４４から吹き出された空調空気が還流経路を通じて空調装置４１へ還流する循環式の空調システム４０では、建物内を同じ空気が循環するため建物内が乾燥し易い。この点、上記の実施形態では、還流経路上の居室１１に乾燥室１２にて衣類乾燥に用いた空気を導くようにしたため、かかる還流経路上の居室１１が乾燥するのを好適に抑制することができる。
【００５８】
吹出口４４を、吊下げ棒２１に吊り下げられた衣類Ｋに向けて空調空気を吹き出し可能な位置に配置した。この場合、吹出口４４から吹き出される空調空気が衣類Ｋに当たるため、衣類Ｋの乾燥を促進させることができる。また、空調空気が衣類Ｋに当たることで湿気を帯びた空調空気を好適に生成することができる。そのため、その空気による居室１１の加湿を好適に行うことができる。
【００５９】
吹出口４４を乾燥室１２の天井側、通気部１９を乾燥室１２の床側に設けたため、吹出口４４から吹き出された空調空気が乾燥室１２を上下に横断するように通気部１９へと流れる。この場合、空調空気が衣類Ｋ周辺を上下に通過するように流れるため、空調空気が衣類Ｋから吸収する湿気の量を多くすることができる。そのため、居室１１の加湿を好適に行うことができる。
【００６０】
吹出チャンバ４３に設けたスラット４８の角度（スラット角度）を調整することで、吹出口４４から吹き出す空調空気の向き（吹出向き）を調整可能とした。具体的には、空調空気の吹出向きを、空調空気が衣類Ｋに向けて吹き出す第１向きと、空調空気が衣類Ｋとは異なる場所に向けて吹き出す第２向きとに調整可能（切替可能）とした。この場合、空調空気が衣類Ｋから吸収する湿気（水分）の量を調整することが可能となり、ひいてはその空調空気により居室１１を加湿する際の加湿量の調整を行うことが可能となる。
【００６１】
湿度センサ５１により検知された居室１１の湿度に基づいて、吹出口４４から吹き出す空調空気の向き（吹出向き）を調整するようにした。具体的には、居室１１の湿度が所定の閾値以下である場合には、吹出口４４から吹き出す空調空気の向きを第１向きとして、空調空気が衣類Ｋから吸収する湿気の量を多くし、一方居室１１の湿度が所定の閾値よりも高い場合には、吹出口４４から吹き出す空調空気の向きを第２向きとして、空調空気が衣類Ｋから吸収する湿気の量を少なくした。これにより、居室１１の湿度に応じて、空調空気が吸収する湿気の量を好適に調整することができ、ひいては居室１１に対する加湿量を好適に調整することが可能となる。
【００６２】
〔第２の実施形態〕
本実施形態の空調システムでは、居室１１を加湿する際の加湿量の調整に関する構成が上記第１の実施形態と相違している。以下、かかる本実施形態の構成について図３に基づいて説明する。図３は、空調システムが設けられた建物の構成を示す概略縦断面図である。
【００６３】
図３に示すように、本実施形態の建物６０には、屋内空間として、居室６１と乾燥室６２とが設けられている一方、機械室が設けられていない。居室６１と乾燥室６２とは互いに隣接しており、間仕切壁６４により相互に仕切られている。間仕切壁６４には、居室６１と乾燥室６２との間を出入りするための出入口６５が設けられている。出入口６５には開き戸からなるドア６６が設けられている。ドア６６は下端部がアンダーカットされ、ドア６６の下端と床面６７との間には居室６１と乾燥室６２とを連通する通気部６８が設けられている。また、乾燥室６２には、衣類Ｋを吊り下げるための吊下げ棒６９が設けられている。
【００６４】
居室６１及び乾燥室６２の天井部には天井面材７１が設けられている。天井面材７１は石膏ボードを含んで構成され、この天井面材７１により居室６１及び乾燥室６２の天井面が形成されている。天井面材７１の上方には屋根部７２が設けられている。屋根部７２は寄せ棟式の屋根となっており、その屋根部７２と天井面材７１との間には屋根裏空間７３が形成されている。
【００６５】
建物６０には、全館空調システムからなる空調システム７５が設けられている。空調システム７５は、空調装置７６と、空調装置７６に接続された空調ダクト７７と、空調ダクト７７に接続された吹出グリル７８とを備える。空調装置７６と空調ダクト７７とはいずれも屋根裏空間７３に設置され、吹出グリル７８は乾燥室６２の天井部、詳しくは天井面材７１に取り付けられている。吹出グリル７８は吊下げ棒６９の上方詳しくは真上に配置されている。また、吹出グリル７８は吊下げ棒６９の長手方向において当該吊下げ棒６９の略中央に位置するように配置されている。なお、吹出グリル７８が吹出口に相当する。
【００６６】
上記の構成では、空調装置７６により生成された空調空気が空調ダクト７７を介して吹出グリル７８に供給されると、その吹出グリル７８より空調空気が乾燥室１２に吹き出される。この場合、空調空気は吹出グリル７８より吊下げ棒６９に吊り下げられた衣類Ｋに向けて吹き出される。そのため、その空調空気を利用して衣類Ｋの乾燥を行うことができる。また、乾燥室６２に吹き出された空調空気は通気部６８を通じて居室６１に流れ込む。これにより、その流れ込んだ空調空気により居室６１の空調（冷房又は暖房）が行われる。また、この場合にも、衣類Ｋの乾燥に用いられて湿気を帯びた空調空気が居室６１に流れ込むため、その空調空気により居室６１の加湿を行うことが可能となる。なお、この場合、居室６１が空調対象となる「居室空間」に相当する。
【００６７】
居室６１に流れ込んだ空調空気は、その後、居室６１の天井部詳しくは天井面材７１に取り付けられた取込ダクト７９を通じて空調装置７６に取り込まれる（還流する）。そして、空調装置７６は、その取り込んだ空気をもとに空調空気を生成する。つまり、本空調システム７５も、空調装置７６により生成された空調空気が乾燥室６２に吹き出された後、その空調空気が通気部６８→居室６１→取込ダクト７９を経由して再び空調装置７６に還流する循環式の空調システムとなっている。なお、この場合、通気部６８と居室６１と取込ダクト７９とを含んで還流経路が構成されている。
【００６８】
次に、本空調システム７５において居室６１に対する加湿量の調整を行うための構成について図３に加え図４を用いながら説明する。なお、図４は、図３と同様、空調システム７５が設けられた建物６０の構成を示す概略縦断面図であり、図３が第１通気状態における建物６０の構成を示しているのに対し、図４が第２通気状態における建物６０の構成を示している。
【００６９】
図３及び図４に示すように、ドア６６には、通気部６８を開閉可能な開閉部材８６が設けられている。開閉部材８６は、金属製又は樹脂製の板材からなる。開閉部材８６は、ドア６６に対して上下移動可能に設けられ、その上下移動により通気部６８が開閉されるようになっている。また、開閉部材８６は、電動モータ等からなる開閉駆動部８７により開閉駆動されるようになっている。
【００７０】
なお、この場合、通気部６８が「床側に設けられた通気口」及び「通気路」に相当する。また、通気部６８は間仕切壁６４（乾燥室６２を区画する「壁部」に相当）に形成された出入口６５の一部により構成されている。また、開閉部材８６及び開閉駆動部８７により開閉手段が構成されている。
【００７１】
間仕切壁６４には、その天井付近に居室６１と乾燥室６２とを連通する開口部８１が設けられている。開口部８１は、ドア６６（出入口６５）の上方に設けられ、吊下げ棒６９よりも高い位置に配置されている。この場合、開口部８１は、上下方向においてドア６６を挟んで通気部６８とは反対側に配置されている。
【００７２】
開口部８１には、当該開口部８１を開閉可能な通気ガラリ８２が配設されている。通気ガラリ８２は、上下に並設された複数のスラット８３を有している。これらのスラット８３はいずれも回動可能に軸支され、それら各スラット８３が回動されることで開口部８１が開閉されるようになっている。また、これらのスラット８３は電動モータ等からなるスラット駆動部８４により回動駆動される。
【００７３】
なお、この場合、開口部８１が「天井側に設けられた通気口」及び「通気路」に相当する。また、各スラット８３（ひいては通気ガラリ８２）及びスラット駆動部８４により開閉手段が構成されている。
【００７４】
続いて、上記の構成により居室６１に対する加湿量の調整を行う際の作用について説明する。
【００７５】
図３に示すように、開閉部材８６が開状態とされることで通気部６８が開放され、かつ、通気ガラリ８２の各スラット８３が閉状態とされることで開口部８１が閉鎖されている状態では、吹出グリル７８より乾燥室６２に吹き出された空調空気が通気部６８を通じて居室６１に流れ込む。この場合、天井側の吹出グリル７８から吹き出された空調空気は乾燥室６２を上下に横断するように床側の通気部６８へと流れ、その後通気部６８を通じて居室６１に導かれることになる。つまり、この場合、空調空気が衣類Ｋを上下に通過するように流れることになるため、空調空気が衣類Ｋから吸収する湿気の量を比較的多くすることができる。そのため、その空調空気により居室６１の加湿を行うに際し加湿量を多くすることができる。
【００７６】
なお、以下においては、吹出グリル７８から吹き出された空調空気が通気部６８を通じて居室６１に流れ込む上記の通気状態を「第１通気状態」ともいう。
【００７７】
一方、図４に示すように、通気ガラリ８２の各スラット８３が開状態とされることで開口部８１が開放され、かつ、開閉部材８６が閉状態とされることで通気部６８が閉鎖されている状態では、吹出グリル７８より乾燥室６２に吹き出された空調空気が開口部８１を通じて居室６１に流れ込む。この場合、天井側の吹出グリル７８より吹き出された空調空気は同じ天井側にある開口部８１に向けてショートカットするように流れ、その後開口部８１を通じて居室６１に導かれることになる。つまり、この場合、空調空気が衣類Ｋの上部周辺のみを通過して流れることになるため、空調空気が衣類Ｋから吸収する湿気の量を比較的少なくすることができる。そのため、その空調空気により居室６１の加湿を行うに際し加湿量を少なくすることができる。
【００７８】
なお、以下においては、吹出グリル７８から吹き出された空調空気が開口部８１を通じて居室６１に流れ込む上記の通気状態を「第２通気状態」ともいう。
【００７９】
ちなみに、第２通気状態においては、空調空気が乾燥室６２に吹き出された後、その空調空気が開口部８１→居室６１→取込ダクト７９を経由して空調装置７６に還流する。したがって、この場合には、開口部８１と居室６１と取込ダクト７９とを含んで還流経路が構成されている。
【００８０】
続いて、本空調システム７５の電気的構成について説明する。なお、図３に本空調システム７５の電気的構成を示す。また、図４では、かかる電気的構成の図示を省略している。
【００８１】
図３に示すように、空調システム７５は、開閉制御手段としてのコントローラ８８を備える。コントローラ８８は、ＣＰＵ等を有する周知のマイクロコンピュータを主体に構成されており、例えば居室６１の壁面に設けられている。
【００８２】
コントローラ８８には、湿度検知手段としての湿度センサ８９が接続されている。湿度センサ８９は、居室６１の湿度を検知するセンサであり、例えば居室６１の壁面に設けられている。コントローラ８８には、湿度センサ８９から逐次検知結果が入力される。
【００８３】
コントローラ８８には、開閉駆動部８７及びスラット駆動部８４が接続されている。コントローラ８８は、湿度センサ８９からの検知結果に基づいて、これらの駆動部８４，８７を駆動制御する。
【００８４】
ここで、コントローラ８８により実行される加湿量調整処理について説明する。なお、本処理は、空調システム７５（空調装置７６）の運転時において、所定の周期で繰り返し実行される。
【００８５】
コントローラ８８は、湿度センサ８９により検知された居室６１の湿度に基づいて、居室６１の湿度が所定の閾値よりも高いか否かを判定する。コントローラ８８は、居室６１の湿度が所定の閾値以下であると判定した場合には、第１通気処理を実行する。この第１通気処理では、コントローラ８８が、開閉駆動部８７に開信号を出力し同駆動部８７により開閉部材８６を開状態とするとともに、スラット駆動部８４に閉信号を出力し同駆動部８４により各スラット８３を閉状態とする。これにより、通気部６８が開放されるとともに、開口部８１が閉鎖される。そのため、吹出グリル７８から吹き出された空調空気が通気部６８を通じて居室６１に流れ込む第１通気状態（図３に示す状態）となる。したがって、居室６１の湿度が比較的低い場合には、居室６１に対する加湿量を多くすることができる。
【００８６】
一方、コントローラ８８は、居室６１の湿度が所定の閾値よりも高いと判定した場合には、第２通気処理を実行する。この第２通気処理では、コントローラ８８が、開閉駆動部８７に閉信号を出力し同駆動部８７により開閉部材８６を閉状態とするとともに、スラット駆動部８４に開信号を出力し同駆動部８４により各スラット８３を開状態とする。これにより、通気部６８が閉鎖されるとともに、開口部８１が開放される。そのため、吹出グリル７８から吹き出された空調空気が開口部８１を通じて居室６１に流れ込む第２通気状態（図４に示す状態）となる。したがって、居室６１の湿度が比較的高い場合には、居室６１に対する加湿量を少なくすることができる。
【００８７】
以上、詳述した本実施形態の構成によれば、以下の優れた効果が得られる。
【００８８】
乾燥室６２に吹出グリル７８を設け、その吹出グリル７８より空調空気を乾燥室６２に吹き出すようにしたため、その空調空気を利用して衣類Ｋを乾燥させることができる。また、衣類Ｋの乾燥に用いられて湿気を帯びた空調空気を通気部６８又は開口部８１を通じて居室６１に導くようにしたため、その空調空気により居室６１の加湿を行うことができる。よって、この場合、空調システム７５を利用して衣類Ｋの乾燥を行うことができるとともに、その衣類乾燥に用いた空気を利用して居室６１の加湿を行うことができる。
【００８９】
吹出グリル７８を乾燥室６２の天井側、通気部６８を床側に設けたため、吹出グリル７８から吹き出された空調空気が乾燥室６２を上下に横断するように通気部６８へと流れる。この場合、空調空気が衣類Ｋ周辺を上下に通過するように流れるため、空調空気が衣類Ｋから吸収する湿気の量を多くすることができる。そのため、居室６１の加湿を好適に行うことができる。
【００９０】
乾燥室６２と居室６１とを仕切る間仕切壁６４において、床側に通気部６８を設け、天井側に開口部８１を設けた。そして、通気部６８を開閉部材８６等（開閉手段）により開閉可能とするとともに、開口部８１を各スラット８３等（開閉手段）により開閉可能とした。この場合、通気部６８を開放させかつ開口部８１を閉鎖させることで、吹出グリル７８より乾燥室６２に吹き出された空調空気が通気部６８を通じて居室６１に流れ込む第１通気状態（図３参照）とすることができる。この場合、空調空気が衣類Ｋを上下に通過するようにして（床側の）通気部６８へと流れるため、空調空気が衣類Ｋから吸収する湿気の量を比較的多くすることができる。
【００９１】
一方、通気部６８を閉鎖しかつ開口部８１を開放させることで、吹出グリル７８より吹き出された空調空気が開口部８１を通じて居室６１に流れ込む第２通気状態（図４参照）とすることができる。この場合、空調空気が衣類Ｋの上部周辺のみを通過するように近くの（天井側の）開口部８１に向けてショートカットして流れるため、空調空気が衣類Ｋから吸収する湿気の量を比較的少なくすることができる。よって、この場合、空調空気が衣類Ｋから吸収する湿気の量を調整することが可能となり、その結果その空調空気により居室６１を加湿する際の加湿量を調整することが可能となる。
【００９２】
湿度センサ８９により検知された居室６１の湿度に基づいて、通気部６８及び開口部８１のうちいずれかを開放させるようにした。つまり、居室６１の湿度に基づいて、第１通気状態と第２通気状態とのうちいずれかの通気状態となるようにした。この場合、居室６１の湿度に応じて、吹出グリル７８から吹き出される空調空気が衣類Ｋから吸収する湿気の量を調整することが可能となり、ひいては居室６１を加湿する際の加湿量を調整することが可能となる。
【００９３】
〔他の実施形態〕
本発明は上記実施形態に限らず、例えば次のように実施されてもよい。
【００９４】
（１）上記各実施形態ではいずれも、乾燥室１２（６２）への空調空気の吹出口が天井側に設けられていたが、かかる吹出口は床側に設けられていてもよい。その場合の具体例を図５に示す。図５に示す建物９０には、居室９１、乾燥室９２及び機械室９３が設けられている。居室９１と乾燥室９２とは間仕切壁９５により仕切られており、その間仕切壁９５には出入口９６が設けられている。出入口９６には引き戸からなるドア９７が設けられている。この場合、ドアが開き戸とされていた上記各実施形態の場合と異なり、ドア９７下に通気部が設けられていない。
【００９５】
間仕切壁９５（乾燥室９２を区画する「壁部」に相当）には、その天井付近に居室９１と乾燥室９２とを連通する開口部９８が設けられている。その開口部９８には通気ガラリ９９が設けられ、その通気ガラリ９９（ひいては開口部９８）を通じて居室９１と乾燥室９２との間の通気が可能となっている。また、居室９１、乾燥室９２及び機械室９３の床部には床面材１０５が設けられており、この床面材１０５の下方には床下空間１０６が形成されている。
【００９６】
建物９０には、空調システム１００（全館空調システム）が設けられている。空調システム１００は、機械室９３に設置された空調装置１０１と、空調装置１０１に接続された空調ダクト１０２と、空調ダクト１０２に接続された吹出グリル１０３とを備える。空調ダクト１０２は、床下空間１０６に配設され、その空調ダクト１０２に接続された吹出グリル１０３は乾燥室９２の床部詳しくは床面材１０５に取り付けられている。なお、吹出グリル１０３が吹出口に相当する。
【００９７】
上記の構成では、空調装置１０１より空調空気が空調ダクト１０２を介して吹出グリル１０３に供給され、その吹出グリル１０３より空調空気が乾燥室９２に吹き出される。この場合、空調空気は吹出グリル１０３より吊下げ棒１０８に吊り下げられた衣類Ｋに向けて吹き出される。そのため、その空調空気を利用して衣類Ｋの乾燥を行うことができる。また、乾燥室９２に吹き出された空調空気は通気ガラリ９９を通じて居室９１に取り込まれ、その取り込まれた空調空気により居室９１の空調（冷房又は暖房）が行われる。また、この場合にも、衣類Ｋの乾燥に用いられて湿気を帯びた空調空気が居室９１に流れ込むため、その空調空気により居室９１の加湿を行うことが可能となる。なお、この場合、居室９１が空調対象となる「居室空間」に相当し、開口部９８が「通気口」及び「通気路」に相当する。
【００９８】
また、上記の構成では、吹出グリル１０３が乾燥室９２の床側、開口部９８（通気ガラリ９９）が天井側に設けられているため、吹出グリル１０３から吹き出された空調空気が乾燥室９２を上下に横断するように通気ガラリ９９へと流れる。したがって、この場合にも、空調空気が衣類Ｋ周辺を上下に通過するように流れるため、空調空気が衣類Ｋから吸収する湿気の量を多くすることができる。そのため、居室９１の加湿を好適に行うことができる。
【００９９】
（２）上記各実施形態では、ドア１７（６６）下の通気部１９（６８）を床側の通気口として用いたが、これを変更して、ドア１７（６６）の下部（床側）に通気用の開口部を設け、その開口部を床側の通気口として用いてもよい。なお、この場合、開口部に通気ガラリを配設することが考えられる。また、間仕切壁１５（６４）の下部（床側）に開口部を設けて、それを床側の通気口としてもよい。これらの場合にも、通気口が天井側の吹出口４４（吹出グリル７８）とは上下方向にて反対側に設けられるため、吹出口４４（吹出グリル７８）から吹き出される空調空気が乾燥室１２（６２）を上下に横断するように（床側の）通気口に向けて流れることになる。このため、空調空気が衣類Ｋから吸収する湿気の量を多くすることができ、居室１１（６１）の加湿を好適に行うことが可能となる。
【０１００】
（３）上記各実施形態では、吹出口４４（吹出グリル７８）を、吊下げ棒２１（６９）に吊り下げられた衣類Ｋに向けて空調空気を吹き出し可能な位置に配置したが、空調空気は必ずしも衣類Ｋに向けて吹き出す必要はない。例えば、上記第２の実施形態の構成において、吹出グリル７８を吊下げ棒６９の上方位置（真上位置）とは異なる位置に配置して、吹出グリル７８から空調空気を衣類Ｋとは異なる場所に向けて吹き出すようにすることが考えられる。その場合にも、その空調空気の吹出により乾燥室６２において空気の流れを生じさせる等することで、衣類Ｋの乾燥を行うことができるとともに、その衣類乾燥に用いた空気により居室６１の加湿を行うことができる。
【０１０１】
（４）上記第１の実施形態では、湿度センサ５１により検知された居室１１の湿度に基づいて、吹出口４４から吹き出す空調空気の向きを第１向きと第２向きとに調整する（切り替える）ようにしたが、これを変更してもよい。例えば、湿度センサ５１により検知された居室１１の湿度に基づいて、吹出口４４から吹き出す空調空気の向きを第１向きと第２向きとの間で連続的に調整するようにしてもよい。具体的には、湿度センサ５１（８９）により検知された居室１１の湿度が低いほど、空調空気の吹出向きが第１向き側となるように吹出向きを調整することが考えられる。これは、居室１１の湿度が低いほど、各スラット４８を第１状態側に移行（傾斜）させることにより実現できる。この場合、居室１１の湿度に応じた加湿量の調整をより好適に行うことができる。
【０１０２】
（５）上記第１の実施形態において、各スラット４８を固定式にする等して、吹出口４４から吹き出す空調空気の向きを調整不能にしてもよい。この場合、衣類Ｋの乾燥と居室１１の加湿とを好適に行う観点からすると、各スラット４８を第１状態の位置に固定し、吹出口４４から空調空気が衣類Ｋに向けて吹き出すようにするのが望ましい。
【０１０３】
（６）上記各実施形態では、湿度センサ５１（８９）により検知された居室１１（６１）の湿度に基づいて、コントローラ５０（８８）により居室１１（６１）に対する加湿量の調整を行うようにしたが、これを変更して、かかる加湿量の調整を手動操作により行うようにしてもよい。例えば、空調システム４０（７５）の運転操作部（操作リモコン等）に、加湿量調整を行う操作キーを設けることが考えられる。
【０１０４】
（７）上記各実施形態では、乾燥室１２，６２に隣接する居室１１，６１を空調対象として空調を行ったが、例えば乾燥室１２，６２に隣接しない居室を空調対象として空調を行ってもよい。その場合の例を図６に示す。
【０１０５】
図６に示す建物１１０は、上記第１の実施形態における建物１０において、居室１１と乾燥室１２との間に廊下１１１が設けられた構成となっている。すなわち、本例の建物１１０では、乾燥室１２に隣接して廊下１１１が設けられ、その廊下１１１に隣接して居室１１が設けられている。乾燥室１２と廊下１１１との間の間仕切壁１１３には出入口１１４が設けられ、その出入口１１４には開き戸からなるドア１１５が設けられている。ドア１１５下はアンダーカットされて通気部１１６が形成されている。
【０１０６】
廊下１１１と居室１１との間の間仕切壁１１８には出入口１１９が設けられ、その出入口１１９には開き戸からなるドア１２１が設けられている。ドア１２１下はアンダーカットされて通気部１２２が形成されている。
【０１０７】
かかる構成では、吹出口４４から乾燥室１２に吹き出された空調空気が通気部１１６を通じて廊下１１１に流れ込み、その後、廊下１１１から通気部１２２を通じて居室１１に流れ込む。そして、その流れ込んだ空調空気により居室１１の空調（冷房又は暖房）が行われるとともに、居室１１の加湿が行われる。したがって、この場合にも、空調システム４０を利用して衣類Ｋの乾燥を行うことができるとともに、その衣類乾燥に用いた空気を利用して居室１１の加湿を行うことができる。
【０１０８】
なお、上記の構成では、通気部１１６が「通気口」に相当し、各通気部１１６，１２２と廊下１１１とにより「通気路」が構成されている。
【０１０９】
ちなみに、上記の場合と同様に、上記第２の実施形態における建物６０において、居室６１と乾燥室６２との間に廊下が設けられた構成を採用してもよい。
【０１１０】
（８）上記各実施形態では、共通の空調装置４１，７６により複数の屋内空間の空調を行う全館空調システム４０に本発明を適用したが、空調装置により一の屋内空間の空調を行う空調システムに本発明を適用してもよい。
【０１１１】
また、上記各実施形態では、吹出口４４（吹出グリル７８）から乾燥室１２（６２）に吹き出された空調空気が還流経路を経由して空調装置４１，７６へと還流する循環式の空調システム４０（７５）に本発明を適用したが、循環式でない空調システムに本発明を適用してもよい。すなわち、建物においては還流経路が設けられていない場合があり、そのような構成に本発明の空調システムを適用してもよい。
【符号の説明】
【０１１２】
１０…建物、１１…居室空間としての居室、１２…乾燥室、１５…壁部としての間仕切壁、１９…通気口及び通気路としての通気部、２１…衣類支持部としての吊下げ棒、４０…空調システム、４１…空調装置、４４…吹出口、５０…制御手段としてのコントローラ、５１…湿度検知手段としての湿度センサ、６０…建物、６１…居室空間としての居室、６２…乾燥室、６４…壁部としての間仕切壁、６８…通気口及び通気路としての通気部、６９…衣類支持部としての吊下げ棒、７５…空調システム、７６…空調装置、７８…吹出口としての吹出グリル、８１…通気口及び通気路としての開口部、８８…開閉制御手段としてのコントローラ、８９…湿度検知手段としての湿度センサ。
【図１】
0006690946.tif 000002
【図２】
0006690946.tif 000003
【図３】
0006690946.tif 000004
【図４】
0006690946.tif 000005
【図５】
0006690946.tif 000006
【図６】
0006690946.tif 000007